(57)【要約】【課題】比較的安価で、猿、猪、ハクビシンに有効な電気柵を提供する。【解決手段】最下部のロープ４を導電性とし、その導電性ロープ４の上部に隣接させて導電帯５を設け、その導電帯５の上部に絶縁体２と導電帯５を交互に配置して電気柵の網９を形成し、その電気柵の網９を地表６から最下部の導電性ロープ４までの距離を５ｃｍ〜１０ｃｍに保つように張設する。そして下から数えて奇数番目の導電帯５を衝撃高圧電源１０のプラス側に、下から数えて偶数番目の導電帯５を衝撃高圧電源１０のマイナス側に接続する。【選択図】図５
0003185208.tif 000002
【実用新案登録請求の範囲】
【請求項１】
田畑の周囲に導電性の網を設置しその導電部に衝撃高圧を印加して、侵入しようとする猿、猪、ハクビシンなどの害獣を感電させることによって撃退する電気柵において、以下のように構成した電気柵
（ア）最下部のロープを導電性とし、その導電性ロープの上部に隣接させて導電帯を          設け、その導電帯の上部に絶縁体と導電帯を交互に配置して電気柵の網を形成          する。
（イ）その電気柵の網を地表から最下部の導電性ロープまでの距離を５ｃｍ〜１０ｃ          ｍに保つように張設する。
（ウ）下から数えて奇数番目の電気柵の網の導電帯を衝撃高圧電源のプラス側に、下          から数えて偶数番目の導電帯を衝撃高圧電源のマイナス側に接続する。
【考案の詳細な説明】
【考案の詳細な説明】
【技術分野】
【０００１】本考案は、畑の周囲に導電性の網を設置しその導電部に衝撃高圧を印加して、侵入しようとする猿、猪、ハクビシンなどの害獣を感電させることによって撃退する電気柵に関するものである。
【背景技術】
【０００２】近年山間地域の畑において猿、猪、ハクビシンなどの害獣の侵入による被害が多発しているため、畑の作物の周囲に電気柵を設置することが行なわれている。電気柵とは畑の周囲に導電性の電線や網を設置しその導電部に衝撃高圧を印加して、侵入しようとする害獣を感電させることによって撃退するものである。【０００３】出願者が居住する千葉県南部では、３０年前から猿の被害が、１０年前から猪の被害が、また３年前からハクビシンの被害が目立ち始めた。出願者は表１に示すような各種の電気柵を試行したが、それぞれに一長一短がある。
【表１】
0003185208.tif 000003
【０００４】例えば図１に示す電線タイプは、猪とハクビシンに有効であるが猿はジャンプして飛び越えてしまう。
図２に示す網タイプの電気柵は猿と猪に有効であるが、歯の鋭いハクビシンは衝撃高圧が印加されない網の最下部のロープ１やロープ１の上部に隣接する絶縁帯２の撚線を噛み切ってしまう。一旦最下部のロープ１が切られると猿がロープ１を持ち上げて侵入してしまうし、絶縁帯２の撚線を噛み切られた部分からは猪が侵入してしまう。
図３に示す「網＋金網」タイプの電気柵は猿には有効であるが、ハクビシンは土を掘って金網３の下を潜り抜けてしまうし、猪は土を掘り金網３を持ち上げて侵入してしまい、猪が侵入した穴から猿も侵入してしまう。
図４に示す「網＋Ｌ型金網」タイプの電気柵は猿とハクビシンには有効であるが、猪は土を掘り金網３を持ち上げて侵入してしまい、猪が侵入した穴から猿とハクビシンも侵入してしまう。【０００５】つまり昨今では猿、猪、ハクビシンが全て出没するので、特定の害獣のみに有効な電気柵は他の害獣に突破されてしまう。そしてその突破が電気柵の破壊による突破であれば、突破された箇所から猿、猪、ハクビシンの全ての害獣が侵入してしまう。したがって猿、猪、ハクビシンの全ての害獣に有効な電気柵が望まれるわけだが、それには「網＋金網」タイプの電気柵の金網を猪に突破されない頑丈な鉄柵にしなければならず、その設置に時間がかかりしかも高価である。
【考案の開示】
【考案が解決しようとする課題】
【０００６】そこで本考案が解決しようとする課題は、猿、猪、ハクビシンに対して有効でかつ比較的設置が容易で安価な電気柵を提供することにある。
【課題を解決するための手段】
【０００７】網タイプの電気柵は、ハクビシンに突破されなければ猪も猿も突破できない。そこでハクビシンに噛み切られない網タイプの電気柵を考案すれば、猿、猪、ハクビシンに対して有効な電気柵となる。
図５に示すように最下部のロープ４を導電性とし、その導電性ロープ４の上部に隣接させて導電帯５を設け、その導電帯５の上部に絶縁体２と導電帯５を交互に配置して電気柵の網９を形成し、地表６から最下部の導電性ロープ４までの距離を５ｃｍ〜１０ｃｍに保つように網９を張設する。そのために網９を保持する絶縁物製の支柱７の他に、地表６から最下部の導電性ロープ４までの距離を５ｃｍ〜１０ｃｍに保つために絶縁物製の補助支柱８を立設する。そして下から数えて奇数番目の導電帯５を衝撃高圧電源１０のプラス側に、下から数えて偶数番目の導電帯５を衝撃高圧電源１０のマイナス側に接続する。【０００８】このようにすれば、猿はこの網９によじ登れば導電帯５に触れて感電することを学習して知っているので、網９の下をくぐり抜けようとする。そのために猿は地表６から５ｃｍ〜１０ｃｍの高さにある導電性ロープ４を掴んで持ち上げるので感電し撃退される。
猪は不審な物を見つけるとまず鼻で触って確認する習性があるので、網９に近づくと鼻で導電帯５に触って感電し撃退される。
ハクビシンは、地表６と導電性ロープ４までの５ｃｍ〜１０ｃｍの隙間を通り抜けようととして導電性ロープ４に触れて感電し撃退される。導電性ロープ４とそれに隣接する導電帯５には衝撃高圧が印加されているので、ハクビシンはこれらを噛み切ることはできない。
【考案の効果】
【０００９】図５のように本考案の電気柵の網９を地表６から最下部の導電性ロープ４までの距離を５ｃｍ〜１０ｃｍに保つように張設すれば、猿、猪、ハクビシンに対して感電させて撃退することができる。この電気柵は金網の布設を必要としないので、既存の網タイプの電気柵と同程度の労力と費用で設置することができる。
【考案を実施するための最良の形態】
【００１０】電気柵の網９の幅は２ｍで、支柱７と補助の支柱８の地上部の長さは２．２ｍ、支柱７同志の間隔は５ｍ、支柱７と補助の支柱８の間隔及び補助の支柱８同志の間隔は１ｍが適当である。【００１１】地表６に草が生えて導電帯５に触れ漏電して衝撃高圧が弱くなるのを防ぐために、図６のように地表６に防草シート１１を敷設すれば草刈の労力を軽減できる。しかしながらこの防草シート１１は化学繊維を織って作られているのでそれ自体が電気的絶縁物であり、猪１２などの害獣が防草シート１１の上に乗ってしまうと猪１２などの害獣は地表６から絶縁されるので、導電帯５に触れても感電しなくなり電気柵本来の目的が果たせなくなってしまう。それを防ぐために防草シート１１の上に網目２ｃｍ程度の亜鉛メッキ亀甲金網１３を敷設して、止め金具１４で地表６に固定する。このようにすれば亜鉛メッキ亀甲金網１３は、止め金具１４により地表６に電気的に接続されるので、亜鉛メッキ亀甲金網１３の上に立っている猪１２などの害獣は導電帯５に触れれば感電する。
【図面の簡単な説明】
【００１２】
【図１】電線タイプの電気柵の正面図である。
【図２】網タイプの電気柵の正面図である。
【図３】「網＋金網」タイプの電気柵の鉛直方向の断面図である。
【図４】「網＋Ｌ型金網」タイプの電気柵の鉛直方向の断面図である。
【図５】本考案の電気柵の正面図である。
【図６】防草シートと亜鉛メッキ亀甲金網を地面に敷設した場合の本考案の電気柵の鉛直方向の断面図である。
【符号の説明】１  ロープ、  ２  絶縁帯、  ３  金網、  ４  導電性ロープ、  ５  導電帯、  ６  地表、  ７  支柱、  ８  補助支柱、  ９  電気柵の網、  １０  衝撃高圧電源、  １１  防草シート、  １２  猪、  １３  亜鉛メッキ亀甲金網、  １４  止め金具
【図１】
0003185208.tif 000004
【図２】
0003185208.tif 000005
【図３】
0003185208.tif 000006
【図４】
0003185208.tif 000007
【図５】
0003185208.tif 000008
【図６】
0003185208.tif 000009